(57)【要約】  本発明は、組み立て式小型レジャーボートを開示する。本発明に係るレジャーボートは、人が搭乗する船体；一端が前記船体に結合されるものであって、前記船体を中心に対称的に配置される３つ以上の連結棒；前記連結棒の他端にそれぞれ連結された浮力体を含む。本発明によると、船体の周辺に対称的に配置された３つ以上の浮力体によってレジャーボートの安定性が大きく向上する。特に、浮力体の中央に船体が位置するため、使用者の動きや波にも船体の揺れが非常に少なく、容易に転覆しない。また、船体が破損しても容易に沈没しない長所がある。また、組み立て式であるため、運搬及び保管が容易であり、大量生産を通して安価な価格で供給でき、水上レジャーの底辺拡大と大衆化に大きく寄与することができる。また、既存のＦＲＰの代わりに環境にやさしい素材で作製することにより、水質汚染を防止することができる。
2016528103.tif 000002
【特許請求の範囲】
【請求項１】
人が搭乗する船体；
一端が前記船体に結合されるものであって、前記船体を中心に対称的に配置される３つ以上の連結棒；
前記連結棒の他端にそれぞれ連結された浮力体；
を含む、小型レジャーボート。
【請求項２】
前記船体は、人が搭乗する内部空間を備える下部体と、前記下部体の上部に結合される上部体を含み、前記連結棒は、前記下部体に結合されることを特徴とする、請求項１に記載の小型レジャーボート。
【請求項３】
前記下部体は、前記連結棒の一端が据え置かれる溝状の棒安着部と、前記棒安着部の内側から上部に突出したストッパーを含むことを特徴とする、請求項２に記載の小型レジャーボート。
【請求項４】
前記棒安着部の上部に位置し、前記連結棒に対応する曲面を有し、両端が前記下部体にそれぞれ結合される連結棒カバーを含むことを特徴とする、請求項３に記載の小型レジャーボート。
【請求項５】
前記連結棒は、外側に突出した弾性突起を含み、前記棒安着部または前記連結棒カバーには、前記弾性突起が挿入される締結孔が形成されたことを特徴とする、請求項３に記載の小型レジャーボート。
【請求項６】
前記下部体には、前記連結棒の一端が挿入されるパイプ状の棒安着部が結合され、前記棒安着部の内側から上部に突出したストッパーが形成されたことを特徴とする、請求項２に記載の小型レジャーボート。
【請求項７】
前記連結棒は、
前記船体の船首中央に連結された第１連結棒、前記船体の船尾一方側に連結された第２連結棒、前記船体の船尾他方側に連結された第３連結棒を含み、
前記第１連結棒と前記第２連結棒の夾角と、前記第１連結棒と前記第３連結棒の夾角は、同一であることを特徴とする、請求項１に記載の小型レジャーボート。
【請求項８】
人が搭乗する下部体を、熱可塑性樹脂を利用して成形し、前記下部体が３つ以上の棒安着部を備えるように成形する第１真空成形工程；
熱可塑性樹脂を利用して上部体を成形する第２真空成形工程；
前記下部体の前記棒安着部にそれぞれ連結棒の一端を結合する工程；
前記連結棒の各他端に浮力体を結合する工程；
記下部体に前記上部体を結合する工程；
を含む、小型レジャーボートの製造方法。
【発明の詳細な説明】
【技術分野】
【０００１】
本発明は、小型レジャーボートに関し、具体的には、大量生産を通して価格が安価であるだけでなく、安全性及び使用便宜性が画期的に改善されたレジャーボートに関する。
【背景技術】
【０００２】
一般的に、水遊び、釣り、水上スキー、スキン・スキューバダイビング等の水上レジャー活動に用いられるボートは、ビニール、ゴム材質等のソフトボートと、ＦＲＰ（Ｆｉｂｅｒ  Ｇｌａｓｓ  Ｒｅｉｎｆｏｒｃｅｄ  Ｐｌａｓｔｉｃｓ、ガラス繊維強化プラスチック）または金属材質のハードボートとに区別できる。
【０００３】
ソフトボートは、空気を抜くと体積が大きく減るため、運搬及び保管が容易な長所がある。しかし、重量が軽くて搭乗者の不注意や波により転覆しやすく、揺れが激しすぎるため、使用者が立ち上がったり、ボート上で移動したりすることがほとんど不可能な短所がある。また、パンクによる事故発生の危険が高く、使用するたびに空気を注入して、また抜き出さなければならない不便がある。
【０００４】
これに対して、ハードボートは、ソフトボートより大きくて相対的に安全性が高い長所はあるが、高い価格により大衆化しにくく、過度に大きく重くて運搬及び保管が容易でない問題がある。例えば、いくら小型であってもハードボートを所望の場所に運搬するためには、乗用車にボート用トレーラーを連結して移動するか、またはトラック等にボートを載せて運搬しなければならない。従って、ほとんどのボート所有者は、特定の船着き場にボートを停泊しておき、その周辺でのみボートを利用しなければならないので、使用範囲が非常に制限的な問題がある。
【０００５】
ハードボートのこのような不便を解決するために、韓国公開特許第１０−２００６−０１３４５５６号（２００６．１２．２８  公開）は、一対の空気チューブの上部に折り畳み式搭乗ケージを取り付けた組み立て式ボートを開示しているが、依然として空気チューブに空気を注入して抜き出す不便さと空気チューブの破損危険があり、部品の数が多く、分解・組み立てに過度に多くの時間を必要とする問題がある。
【０００６】
また、従来のハードボートは、外部の衝撃により船体に亀裂が生じると、沈没を免れにくい問題がある。このような問題を解決するために、韓国登録特許第１０−１２２４１５６号（２０１３．０１．１４  公告）のように、船体の外側面に空気チューブをさらに取り付ける場合があるが、この場合も、依然として空気を注入して抜き出す不便があるだけでなく、複雑な構造により作製コストが増加する問題がある。
【０００７】
一方、従来のＦＲＰ材質のハードボートは、雌型モールドの内部にプラスチック樹脂を塗布した後、接着剤を利用してガラス繊維を接合する方式で製造されるが、このような製造方法は、工程時間が長すぎるため、短期間で同一規格の製品を数千〜数万台以上生産しなければならない小型レジャーボートの作製には適していない問題がある。また、近来、ＦＲＰボートが水質汚染を誘発するという事実が知られ、環境にやさしいレジャーボートへの要求も漸次増加している。
【発明の概要】
【発明が解決しようとする課題】
【０００８】
本発明は、このような問題を解決するためのものであって、運搬及び保管が容易な組み立て式小型レジャーボートを提供することをその目的とする。また、使用者の不注意や高
い波にも容易に転覆せず、船体が破損しても沈没しない安全性の高い小型レジャーボートを提供することを目的とする。
【０００９】
また、大量生産を通してレジャーボートの価格を下げることにより、誰でも負担なしに購入できるようにして、水上レジャーの底辺拡大と大衆化に寄与することを目的とする。また、環境にやさしい素材のレジャーボートを提供することにより、水質環境を保護することを目的とする。
【課題を解決するための手段】
【００１０】
本発明は、前述した目的を達成するために、人が搭乗する船体；一端が前記船体に結合されるものであって、前記船体を中心に対称的に配置される３つ以上の連結棒；前記連結棒の他端にそれぞれ連結された浮力体を含む小型レジャーボートを提供する。
【００１１】
本発明に係る小型レジャーボートの前記船体は、人が搭乗する内部空間を備える下部体と、前記下部体の上部に結合される上部体を含み、前記連結棒は、前記下部体に結合され得る。
【００１２】
また、本発明に係る小型レジャーボートの前記下部体は、前記連結棒の一端が据え置かれる溝状の棒安着部と、前記棒安着部の内側から上部に突出したストッパーを含むことができる。
【００１３】
また、本発明に係る小型レジャーボートは、前記棒安着部の上部に位置し、前記連結棒に対応する曲面を有し、両端が前記下部体にそれぞれ結合される連結棒カバーを含むことができる。
【００１４】
また、本発明に係る小型レジャーボートの前記連結棒は、外側に突出した弾性突起を含み、前記棒安着部または前記連結棒カバーには、前記弾性突起が挿入される締結孔が形成され得る。
【００１５】
また、本発明に係る小型レジャーボートの前記下部体には、前記連結棒の一端が挿入されるパイプ状の棒安着部が結合され、前記棒安着部の内側から上部に突出したストッパーが形成され得る。
【００１６】
本発明に係る小型レジャーボートの前記連結棒は、前記船体の船首中央に連結された第１連結棒、前記船体の船尾一方側に連結された第２連結棒、前記船体の船尾他方側に連結された第３連結棒を含み、前記第１連結棒と前記第２連結棒の夾角と、前記第１連結棒と前記第３連結棒の夾角は、同一であってよい。
【００１７】
また、本発明は、人が搭乗する下部体を、熱可塑性樹脂を利用して成形し、前記下部体が３つ以上の棒安着部を備えるように成形する第１真空成形工程；熱可塑性樹脂を利用して上部体を成形する第２真空成形工程；前記下部体の前記棒安着部にそれぞれ連結棒の一端を結合する工程；前記連結棒の各他端に浮力体を結合する工程；前記下部体に前記上部体を結合する工程を含む小型レジャーボートの製造方法を提供する。
【発明の効果】
【００１８】
本発明によると、船体の周辺に対称的に配置された３つ以上の浮力体によってレジャーボートの安定性が大きく向上する。特に、浮力体の中央に船体が位置するため、使用者の動きや波にも船体の揺れが非常に少なく、容易に転覆しない。また、船体が破損しても容易に沈没しない長所がある。
また、組み立て式であるため、運搬及び保管が容易であり、大量生産を通して安価な価格
で供給でき、水上レジャーの底辺拡大と大衆化に大きく寄与することができる。また、既存のＦＲＰの代わりに環境にやさしい素材で作製することにより、水質汚染を防止することができる。
【図面の簡単な説明】
【００１９】
【図１】本発明の実施例に係るレジャーボートの斜視図。
【図２】本発明の実施例に係るレジャーボートの底面斜視図。
【図３】本発明の実施例に係るレジャーボートの分解斜視図。
【図４ａ】船体の棒安着部を示した図。
【図４ｂ】船体の棒安着部を示した図。
【図５】棒安着部の上部に連結棒カバーを取り付ける様子を示した図。
【図６ａ】船体に連結棒を結合する方法を示した図。
【図６ｂ】船体に連結棒を結合する方法を示した図。
【図７ａ】船体に連結棒を結合する様々な変形例を示した図。
【図７ｂ】船体に連結棒を結合する様々な変形例を示した図。
【図７ｃ】船体に連結棒を結合する様々な変形例を示した図。
【図７ｄ】船体に連結棒を結合する様々な変形例を示した図。
【図８ａ】連結棒に浮力体を結合する方法を示した図。
【図８ｂ】連結棒に浮力体を結合する方法を示した図。
【図９】浮力体の変形例を示した図。
【図１０ａ】船体の組み立て過程を示した図。
【図１０ｂ】船体の組み立て過程を示した図。
【図１１】船体の組み立て過程を示した断面図。
【図１２ａ】下部体の作製過程を順に示した図。
【図１２ｂ】下部体の作製過程を順に示した図。
【図１２ｃ】下部体の作製過程を順に示した図。
【図１２ｄ】下部体の作製過程を順に示した図。
【図１２ｅ】下部体の作製過程を順に示した図。
【図１２ｆ】下部体の作製過程を順に示した図。
【図１３】上部体を作製する様子を示した図。
【発明を実施するための形態】
【００２０】
以下においては、添付の図面を参照して、本発明の好ましい実施例を詳細に説明する。
【００２１】
図２、図３及び図４は、それぞれ本発明の実施例に係るレジャーボート１００の斜視図、底面斜視図及び分解斜視図である。
【００２２】
本発明の実施例に係るレジャーボート１００は、図面に示したように、人が搭乗する船体１１０、一端が船体１１０に結合され、外側に突出した３つの連結棒１３１、１３２、１３３、各連結棒１３１、１３２、１３３の他端にそれぞれ結合される３つの浮力体１２１、１２２、１２３を含む。
【００２３】
本発明の実施例に係るレジャーボート１００は、人が搭乗した船体１１０の荷重が３つの浮力体１２１、１２２、１２３に分散するので、船体１１０の浮力にのみ頼る従来のレジャーボートに比べて安全性が大きく高まる長所がある。
【００２４】
特に、各浮力体１２１、１２２、１２３が船体１１０から連結棒１３１、１３２、１３３の長さだけ離隔した位置で浮力を発揮するので、船体１１０が容易に揺れない長所がある。従って、搭乗者が船体１１０で立ち上がったり、動いたりしても、レジャーボート１００が大きく揺れないので、不注意で水に溺れるか、船体１１０が転覆する可能性はほと
んどない。
【００２５】
本発明の実施例においては、３つの浮力体１２１、１２２、１２３を船体１１０の中心に対して角度約１２０度の間隔で配置した。即ち、船体１１０の船首中央に第１連結棒１３１を連結し、船尾一方側に第２連結棒１３２を連結し、船尾他方側に第３連結棒１３３を連結した後、各連結棒１３１、１３２、１３３に各浮力体１２１、１２２、１２３を結合した。
【００２６】
ところが、浮力体の個数が必ずしも３つに限定されるものではないので、４つ以上の浮力体を船体１１０の中心に対して同じ角度で配置することも可能である。
【００２７】
船体１００の構造をさらに具体的に検討すると、船体１１０は、下部体１１２と上部体１１４が分離可能に組み立てられてなされる。
【００２８】
このように、下部体１１２と上部体１１４を分離作製すると、下部体１１２と上部体１１４の作製に用いられる各金型の形状が単純となり、金型作製に必要となるコスト及び時間を減らすことができ、真空成形を通した大量生産で作製コストを大きく下げることができる効果がある。
【００２９】
下部体１１２と上部体１１４は、それぞれＡＢＳ（Ａｃｒｙｌｏｎｉｔｒｉｌｅ  Ｂｕｔａｄｉｅｎｅ  Ｓｔｙｒｅｎｅ）、ＰＰ（Ｐｏｌｙｐｒｏｐｙｌｅｎｅ）、ＰＥ（Ｐｏｌｙｅｔｈｙｌｅｎｅ）、ＰＣ（Ｐｏｌｙｃａｒｂｏｎａｔｅ）等の熱可塑性樹脂材質であることが好ましい。このような材質は、従来のＦＲＰ材質のハードボートに比べて水質汚染を減らすことができ、真空成形工程を通して工程時間を短縮することができる利点がある。
【００３０】
下部体１１２は、人が搭乗する凹んだ内部空間を備えて浮力を発生させる。図面には、下部体１１２の内部が空いているものと示されたが、使用者の便宜のために、シート等を成形過程で一体に形成するか、または下部体１１２にさらに結合してもよい。また、下部体１１２を透明材質で作製すると、使用者が水中を観察することができ、楽しさを倍加させることができる。
【００３１】
上部体１１４は、下部体１１２の上端に結合される縁部１１５と、縁部１１５から延びて下部体１１２の上部を一定部分隠すカバー１１６を含む。
縁部１１５とカバー１１６は、一体に作製されてもよく、分離作製後、組み立てられてもよい。また、カバー１１６は、必要に応じて省略してもよい。また、図示はしていないが、搭乗者を保護する別途の透明カバー（図示しない）を上部体１１４に結合してもよい。
【００３２】
また、図面に示したように、上部体１１４の後尾にモータを取り付けることのできるモータ装着部１１８を形成してもよい。
【００３３】
一方、図４ａに示したように、下部体１１２には、各連結棒１３１、１３２、１３３を嵌め込む結合孔１５１と、各連結棒１３１、１３２、１３３の一端が据え置かれる棒安着部１５５が形成される。結合孔１５１は、図示されたように、円形の孔であってもよく、下部体１１２の上端から下に切開された溝に形成されてもよい。
【００３４】
棒安着部１５５は、各連結棒１３１、１３２、１３３の外周面に対応する溝であって、一端が結合孔１５１を通して外部と連通する。
【００３５】
棒安着部１５５の他端、即ち、結合孔１５１の反対側には、図４ｂに示したように、ス
トッパー１５７を形成することが好ましい。ストッパー１５７は、外部から挿入された連結棒１３１、１３２、１３３が結合位置からそれ以上進入しないようにすることで、組み立てを容易にする。
【００３６】
棒安着部１５５に各連結棒１３１、１３２、１３３を安着させた状態で、ボルト等で各連結棒１３１、１３２、１３３を下部体１１２に固定することができる。
【００３７】
組み立ての便宜のためには、図５に示したように、棒安着部１５５の上部に連結棒カバー１６０を結合することが好ましい。
本発明の実施例においては、連結棒カバー１６０を下部体１１２と同じ材質で作製し、熱融着等の方法で下部体１１２に固定する。
【００３８】
連結棒カバー１６０は、長手方向に切開されたパイプ状であって、内面は、各連結棒１３１、１３２、１３３の輪郭に対応する曲面からなる。従って、連結棒カバー１６０と棒安着部１５５との間には、連結棒１３１、１３２、１３３が挿入される空間が形成され、結局、連結棒カバー１６０と棒安着部１５５は、連結棒１３１、１３２、１３３が挿入されるパイプの役割をする。連結棒カバー１６０には、連結棒の固定のための締結孔１６２が形成され得る。
【００３９】
このように、連結棒カバー１６０が取り付けられた状態で、図６ａに示したように、連結棒１３１を結合孔１５１に挿入すると、連結棒カバー１６０が連結棒１３１を支持することとなるので、使用者は、この状態で連結棒１３１を下部体１１２に対して固定すればよい。
【００４０】
結合作業の便宜のためには、連結棒１３１の一端に弾性を有する弾性突起１３７を設け、棒安着部１５５と連結棒カバー１６０に弾性突起１３７が挿入される締結孔１５９、１６２を形成することが好ましい。
【００４１】
このようにすれば、図６ｂに示したように、連結棒１３１がストッパー１５７に係止するまで結合孔１５１に押し込んだ状態で連結棒１３１を少しずつ回転させて弾性突起１３７を締結孔１５９、１６２に挿入させると、連結棒１３１の結合が完了する。
【００４２】
その他にも、様々な方法で連結棒１３１を取り付けることができる。
【００４３】
例えば、連結棒１３１と下部体１１２をボルトで直接固定してもよい。
また、図７ａに示したように、連結棒カバー１６０を下部体１１２に融着させずに両端部をボルト１７０で下部体１１２に固定することもできる。
【００４４】
また、図７ｂに示したように、固定パイプ１６０’を棒安着部１５５に取り付け、連結棒１３１を固定パイプ１６０’に挿入することもできる。この場合も、棒安着部１５５の後端には、連結棒１３１の進入を防ぐストッパー１５７を設けることが好ましい。固定パイプ１６０’は、下部体１１２の内部に設けられてもよく、図７ｃに示したように、一端が下部体１１２の外部に突出するように設けられてもよい。
【００４５】
下部体１１２の外部にのみ棒安着部１５５を形成し、その上部に連結棒カバー１６０または固定パイプ１６０’を設けることもできる。
【００４６】
また、結合安定性を高めるために、連結棒１３１の弾性突起１３７の代わりに、図７ｄに示したように、連結棒カバー１６０、連結棒１３１及び下部体１１２を貫通するボルト１７０を利用して連結棒１３１を下部体１１２に固定してもよい。この場合、弾性突起１
３７も共に用いられ得る。
【００４７】
各連結棒１３１、１３２、１３３は、軽くて耐久性に優れたカーボンパイプを用いることが好ましいが、材質は、これに限定されるものではない。
【００４８】
各連結棒１３１、１３２、１３３にそれぞれ結合される浮力体１２１、１２２、１２３は、軽くて耐久性に優れたＥＰＰ（Ｅｘｐａｎｄａｂｌｅ  Ｐｏｌｙｐｒｏｐｙｌｅｎｅ、発泡ポリプロピレン）材質であることが好ましいが、材質は、必ずしもこれに限定されるものではない。
【００４９】
図８ａ及び図８ｂに示したように、各浮力体１２１、１２２、１２３は、各連結棒１３１、１３２、１３３が挿入される貫通孔１２７を備える。連結棒１３１、１３２、１３３を嵌め込んだ後には、浮力体１２１、１２２、１２３が抜けないように貫通孔１２７の反対側で連結棒１３１、１３２、１３３の端部に固定キャップ１８０を結合することが好ましい。固定キャップ１８０の外径が各連結棒より大きくなければならないことはもちろんである。
【００５０】
固定キャップ１８０は、連結棒１３１、１３２、１３３の端部に締まりばめ式で結合されてもよく、ネジ結合されてもよく、ボルト等で固定されてもよい。
【００５１】
図面には、浮力体１２１、１２２、１２３の貫通孔１２７の一端に固定キャップ１８０が挿入される拡張部１２８を形成したが、これに限定されるものではない。
【００５２】
浮力体１２１、１２２、１２３は、一体型の球体で作製するよりは、図９に示したように、２つの半球体を連結棒１３１、１３２、１３３に取り付けて球形浮力体を具現することがより好ましい。半球体を保管または運搬することがより容易であるためである。
【００５３】
また、浮力体１２１、１２２、１２３は、球形に限定されないので、様々な形状に作製され得る。また、娯楽性を倍加させることのできる様々なキャラクター形状のアクセサリーを各浮力体１２１、１２２、１２３に付けてもよい。また、各浮力体１２１、１２２、１２３が船体１１０から相当距離離れている点を考慮して、水に溺れた人が容易に取ることができる救助用持ち手を各浮力体１２１、１２２、１２３に取り付けてもよい。
【００５４】
先に説明したように、本発明の実施例に係るレジャーボート１００の船体１１０は、別途作製された下部体１１２と上部体１１４が図１０ａ及び図１０ｂに示したように組み立てられることでなされる。
【００５５】
このとき、下部体１１２に形成された上端縁１１２ａが上部体１１４に形成された下端縁１１４ａの内部に挿入されることが好ましい。
【００５６】
図１１を参照して具体的に検討すると、下部体１１２の上端縁１１２ａの下端には、外側に係止ジョー１１２ｂが突出する。従って、下部体１１２の外側に位置する上部体１１４の下端縁１１４ａは、係止ジョー１１２ｂにより支持される。
【００５７】
このように、下部体１１２と上部体１１４を結合した状態でそのまま使用することもできるが、より安全な使用のためには、下部体１１２の上端縁１１２ａと上部体１１４の下端縁１１４ａをボルト等で結合することが好ましい。
【００５８】
一方、本発明の実施例によると、熱可塑性樹脂を用いた真空成形方法で船体１１０の下部体１１２と上部体１１４をそれぞれ成形した後、互いに組み立てることにより、金型単
純化を通して作製コストを節減し、小型レジャーボートの大量生産が可能となる長所がある。
【００５９】
以下においては、図１２ａ乃至図１２ｆを参照して、本発明の実施例に係るレジャーボート１００の船体１１０の製造方法を、下部体１１２を中心に説明する。
【００６０】
先ず、熱可塑性樹脂製の原板１０を移動フレーム２０に取り付ける。移動フレーム２０は、図示しない移動手段に結合され、水平移動等が可能である。
次いで、移動フレーム２０を加熱室に移動させ、上下に配置されたヒーターを利用して原板１０を加熱する（図１２ａ）。
【００６１】
原板１０が十分に加熱されると、図面に示したように軟らかくなって中央部が下に若干垂れるようになり、この状態で用意した金型５０の上部に原板１０を移動させる。図示しないが、金型５０には、多数の真空孔が形成されており、金型の下部空間は、真空ポンプに連結されている（図１２ｂ）。
【００６２】
次いで、金型５０を上昇させるか、または移動フレーム２０を下降させると、軟らかくなった原板１０が金型５０の表面にかけられるようになる。このとき、真空ポンプを動作させて金型５０の下部空間に真空圧を発生させると、原板１０が金型５０の表面に完全に密着する。原板１０が金型５０の表面に密着した以後には、冷却ファンを稼動して原板１０を冷却させる（図１２ｃ、図１２ｄ）。
【００６３】
次いで、成形された原板１０を金型から分離し、切断ロボット等を利用して不要な部分を切り出すと、下部体１１２の成形が仕上げられる。このとき、連結棒１３１、１３２、１３３が挿入される結合孔１５１とボルト孔等を形成することもできる（図１２ｅ、図１２ｆ）。
【００６４】
次いで、前述した連結棒カバー１６０等を下部体１１２の棒安着部１５５の上部に設け、さらなる便宜設備等を取り付ける。
【００６５】
上部体１１４の真空成形過程も、図１３の概略図に示したように、下部体１１２と実質的に同様の手順を経るようになる。
【００６６】
このような過程を経て下部体１１２と上部体１１４の作製が完了すれば、下部体１１２に連結棒１３１、１３２、１３３を結合する工程、下部体１１２の上部に上部体１１４を結合する工程、連結棒１３１、１３２、１３３の端部に浮力体１２１、１２２、１２３を結合する工程等を経ることによって小型レジャーボート１００が完成する。
【００６７】
以上においては、本発明の好ましい実施例を説明したが、本発明は、前述した実施例に限定されず、様々な形態に変形、修正または置換されて実施され得る。
【００６８】
例えば、前述した実施例においては、３つの連結棒１３１、１３２、１３３を下部体１１２に取り付けたが、下部体１１２と上部体１１４をボルト等で非常に堅固に組み立てた場合は、上部体１１４に各連結棒１３１、１３２、１３３を結合することもできる。
【００６９】
また、図面には、３つの連結棒１３１、１３２、１３３が水平方向に設けられたものと示したが、船体１１０側が高く、各浮力体１２１、１２２、１２３側が低いように傾斜するように設けることもできる。
【００７０】
また、不注意で水に溺れる場合に備えて、各浮力体１２１、１２２、１２３を互いにひ
もで連結し、人命救助用に活用することもできる。
【００７１】
また、船体１１０の形状は、図示したものに限定されず、様々な形状に変形され得る。
【００７２】
また、本発明の実施例に係る小型レジャーボート１００は、モータ、艪、帆等を用いて移動することができ、このために、モータ、艪、帆等を設けることのできる取り付け手段をさらに含むことができる。また、動力の獲得のために、船体１１０等にソーラーパネルを設けてもよく、夜にもボートの位置を確認することができるように、ＬＥＤ等の発光手段を設けてもよい。また、ボートの位置確認及び通信のためのＧＰＳ、衛星通信設備等を設けてもよい。
【００７３】
このように、本発明は、様々な形態に変形、修正または置換されて実施され得、このように変形、修正または置換されて実施される場合にも、後述する特許請求の範囲に開示された本発明の技術的思想を含むならば、本発明の権利範囲に属することはもちろんである。
【符号の説明】
【００７４】
１０：原板、２０：フレーム
５０、５０’：金型、１００：レジャーボート
１１０：船体、１１２：下部体
１１２ａ：上端縁、１１４：上部体
１１４ａ：下端縁、１１５：縁部
１１６：カバー、１１８：モータ据え置き部
１２１、１２２、１２３：第１、第２、第３浮力体、１２７：貫通孔
１２８：拡張部、１３１、１３２、１３３：第１、第２、第３連結棒
１３７：弾性突起、１５１：結合孔
１５５：棒安着部、１５７：ストッパー
１５９：締結孔、１６０：連結棒カバー
１６０’：固定パイプ、１６２：締結孔
１７０：ボルト、１８０：固定キャップ
【図１】
2016528103.tif 000003
【図２】
2016528103.tif 000004
【図３】
2016528103.tif 000005
【図４ａ】
2016528103.tif 000006
【図４ｂ】
2016528103.tif 000007
【図５】
2016528103.tif 000008
【図６ａ】
2016528103.tif 000009
【図６ｂ】
2016528103.tif 000010
【図７ａ】
2016528103.tif 000011
【図７ｂ】
2016528103.tif 000012
【図７ｃ】
2016528103.tif 000013
【図７ｄ】
2016528103.tif 000014
【図８ａ】
2016528103.tif 000015
【図８ｂ】
2016528103.tif 000016
【図９】
2016528103.tif 000017
【図１０ａ】
2016528103.tif 000018
【図１０ｂ】
2016528103.tif 000019
【図１１】
2016528103.tif 000020
【図１２ａ】
2016528103.tif 000021
【図１２ｂ】
2016528103.tif 000022
【図１２ｃ】
2016528103.tif 000023
【図１２ｄ】
2016528103.tif 000024
【図１２ｅ】
2016528103.tif 000025
【図１２ｆ】
2016528103.tif 000026
【図１３】
2016528103.tif 000027
【国際調査報告】
2016528103.tif 000028
2016528103.tif 000029
2016528103.tif 000030
2016528103.tif 000031